【手続補正書】
【提出日】平成16年4月5日(2004.4.5)
【手続補正１】
【補正対象書類名】明細書
【補正対象項目名】特許請求の範囲
【補正方法】変更
【補正の内容】
【特許請求の範囲】
【請求項１】  内側殻体および外側殻体を有し、該殻体の各々が、絶縁材料を充填する空間を包囲する壁を有する、耐火性金庫において、
少くとも１つの開口部が前記両殻体の片方の殻体の壁に形成され、該開口部は、前記空間を充填するための開口を画成し、前記片方の殻体から突出し、かつ、互に対向する側壁を有し、前記両側壁は外側の面を画成し、
前記１つの開口部を覆い、かつ、取囲む蓋部材を備え、該蓋部材は、内側の面および外側縁部を画成する側壁を有し、前記開口部の前記側壁の前記外側面が、該蓋部材が前記開口部を覆う時、前記蓋部材の前記内側の面に少くとも部分的に当接し、
前記開口部又は前記蓋部材の片方の表面が、前記開口部を形成する殻体壁に平行に延びる係止溝、および前記開口部を形成する殻体壁から横方向外方へ延び前記係止溝と交差する挿入溝を画成し、前記係止溝および挿入溝の各々は、前記殻体壁に平行な長さを有し、前記係止溝の長さは前記挿入溝の長さより大きく、
前記開口部又は前記蓋部材の他方の表面は、前記蓋部材が前記開口部を覆う時、前記挿入溝に挿入され、かつ、前記蓋部材が前記殻体壁に平行に係止位置まで移動される時、前記係止溝の中に再配置される剛性な係止部材を画成し、前記係止部材および前記係止溝は、前記蓋部材の前記縁部を前記殻体壁に対し固定し、かつ、前記蓋部材の軸方向運動を阻止し、
前記剛性な係止部材は前記殻体壁に平行に移動しない限り、該係止部材が配置されている係止溝から外され得ず、かつ、前記蓋部材が前記係止位置に配置された後は、前記剛性な係止部材が前記殻体壁に平行に移動するのを阻止する手段が設けられていることを特徴とする耐火性金庫。
【請求項２】  前記蓋部材は複数の側部を有し、その２つの側部は各々、前記蓋部材が前記開口部を覆っている時、前記開口部の両側の前記壁側の１つに隣接し、前記側部は各々、少くとも１つの剛性な係止部材を有し、該剛性な係止部材は各々、前記蓋部材が前記開口部を覆っている時、隣接する前記側壁の前記係止溝内に配置される請求項１の耐火性金庫。
【請求項３】  前記蓋部材を前記絶縁材料内に定着させ得るように前記蓋部材から突き出す少くとも１つの柱状体を更に備える請求項１の耐火性金庫。
【請求項４】  前記柱状体は前記絶縁材料が固化する前に該絶縁材料内に挿入され、その後前記少くとも１つの剛性な係止部材の移動を阻止する請求項３の耐火性金庫。
【請求項５】  前記係止溝は少くとも一端で開口し、前記蓋部材が係止位置へ移動した時、前記係止溝に配置される第２の剛性な係止部材を更に備える請求項１の耐火性金庫。
【請求項６】  前記開口部は互に対向する外側の面を形成し、前記蓋部材は互に対向する内側の面を形成し、前記開口部又は前記蓋部材の片方の前記互に対向する面が互に対向する係止溝および挿入溝を形成し、前記開口部又は前記蓋部材の他方が互に対向する係止部材を形成する請求項１の耐火性金庫。
【請求項７】  前記開口部の前記外側の面が前記係止溝および挿入溝を形成し、前記蓋部材の前記内側の面が前記係止部材を形成する請求項６の耐火性金庫。
【請求項８】  前記蓋部材および前記開口部は、各々、前記側壁を横切る端壁を有し、前記蓋部材の前記端壁の前記内側の面は、前記開口部の前記端壁の前記外側の面に当接して、前記蓋部材の前記平行な移動を制限することにより、前記係止位置を設定する請求項６の耐火性金庫。
【請求項９】  前記蓋部材を前記絶縁材料に定着させ得るように前記蓋部材から突き出す少くとも１つの定着素子を備えている請求項８の耐火性金庫。
【請求項１０】  前記定着素子は前記絶縁材料が固化する前に該絶縁材料内に挿入され、その後前記蓋部材の移動を阻止する請求項９の耐火性金庫。
【請求項１１】  内側殻体および外側殻体を有し、該殻体の各々が、絶縁材料を充填する空間を包囲する壁を有する、耐火性金庫において、
少くとも１つの開口部が前記外側殻体の壁に形成され、該開口部は、前記空間を充填するための開口を画成し、前記外側殻体から突出し、かつ互に対向する側壁を有し、前記両側壁は外側の面を画成し、該外側の面は各々、前記開口部を形成する前記殻体壁の壁に平行に延びる係止溝を画成し、
前記１つの開口部を覆い、かつ、取囲む蓋部材を備え、該蓋部材は、各々が内側の面および外側縁部を画成する互に対向する側壁を有し、前記開口部の前記側壁の前記外側の面が、該蓋部材が前記開口部を覆う時、前記蓋部材の前記内側の面に少くとも部分的に当接し、前記蓋部材が前記殻体の壁に平行に係止位置まで移動する時、前記蓋部材の前記内側の面が前記係止溝に配置される互に対向する剛性な係止部材を形成し、該係止部材および前記係止溝は前記蓋部材の前記縁部を前記殻体壁に対し固定し、かつ、前記蓋部材の軸方向運動を阻止し、
前記剛性な係止部材は前記殻体壁に平行に移動しない限り、該係止部材が配置されている係止溝から外され得ず、かつ、前記蓋部材が前記係止位置に配置された後は前記剛性な係止部材が前記殻体壁に平行に移動するのを阻止する手段が設けられていることを特徴とする耐火性金庫。
【請求項１２】  前記蓋部材の前記内側の面は前記開口部の互に対向する側部上にあり、該内側の面の各々は、前記蓋部材が前記開口部を覆う時、前記２つの側壁の片方に隣接し、前記内側の面の各々は、前記側壁により画成される内部空間に突出する少くとも１つの剛性な部材を画成し、該剛性な部材の各々は、前記蓋部材が前記開口部を覆う時、前記側壁の隣接する内面の係止溝内に配置される、請求項１１の耐火性金庫。
【請求項１３】  前記開口部の少くとも１つの係止溝と交差する少くとも１つの挿入溝を前記開口部に有する請求項１２の耐火性金庫。
【請求項１４】  前記少くとも１つの挿入溝は線形部分を有し、該線形部分は係合軸線に直角な挿入軸線を形成する請求項１３の耐火性金庫。
【請求項１５】  内側殻体および外側殻体を有し、該殻体の各々が、絶縁材料を充填する空間を包囲する壁を有する、耐火性金庫において、
第１の開口部が前記外側殻体の壁に形成され、該第１の開口部は、前記空間を充填するための開口を形成し、前記第１の開口部に互に対向する側壁と少くとも１つの端壁を有し、該側壁および端壁は全て１つの殻体から突出し、前記側壁は前記第１の開口部を形成する殻体壁に平行に延びる係合溝を各々形成する互に対抗する外側の面を画成し、
第２の開口部が前記外側殻体の前記壁と同一の壁に形成され、該第２の開口部は、前記空間を充填するための開口を形成し、前記第２の開口部は互に対向する側壁と少くとも１つの端壁を有し、該側壁および端壁は全て１つの殻体から突出し、前記側壁は前記殻体壁に平行に延びる係合溝を各々形成する互に対向する外側の面を画成し、
前記両方の開口部を覆い、かつ、取囲む蓋部材を備え、該蓋部材は互に対向する端壁および互に対向する側壁を有し、該端部および側壁の各々は内側の面および外側縁部を画成し、前記蓋部材が前記開口部を覆う時、該端壁の１つが１つの開口部の端壁に当接し、前記両方の開口部の側壁の外側の面が前記蓋部材の内側の面に少くとも部分的に当接し、前記蓋部材が前記殻体の壁に平行に係止位置まで移動する時、前記蓋部材の前記内側の面が前記係止溝に配置される互に対向する剛性な係止部材を形成し、該係止位置において、蓋部材の他方の端壁が他方の開口部の端壁に当接し、前記係止部材および前記係止溝は前記蓋部材の前記縁部を前記殻体壁に対し固定し、かつ、前記蓋部材の軸方向運動を阻止し、
前記剛性な係止部材が前記殻体壁に平行に移動しない限り、該係止部材が配置されている係止溝から外され得ず、かつ、前記蓋部材が前記係止位置に配置された後は前記剛性な係止部材が前記殻体壁に平行に移動するのを阻止する手段が設けられていることを特徴とする耐火性金庫。
【請求項１６】  前記開口部の前記側壁の各々に、少くとも１つの挿入溝を有し、該挿入溝は各々、前記係合溝のそれぞれに交差し、かつ、前記殻体壁から外方へ延在し、各前記係合溝は対応する係止部材の幅とほぼ同一の幅を有し、前記挿入溝を通じて前記係止部材が前記係止溝へ挿入される請求項１５の耐火性金庫。
【請求項１７】  前記蓋部材を前記絶縁材料に定着させ得るように前記蓋部材から前記開口部を通じて前記空間へ突き出す少くとも１つの定着素子を備えている請求項１５の耐火性金庫。
【請求項１８】  前記定着素子は前記絶縁材料が固化する前に該絶縁材料内に挿入され、その後前記蓋部材の移動を阻止する請求項１７の耐火性金庫。